(57)【特許請求の範囲】
【請求項１】
裏面側に押しボタン本体が取り付けられると共に、裏面側の所定位置に押しボタン取付スタッドが垂設された押しボタン取付板と、
前記押しボタン本体の裏面側に配置され、表面側に搭載されている放熱器から出る熱を表面側放熱パターンおよび裏面側放熱パターンに導くように構成されたプリント配線板と、
両端部分にフランジが形成されるとともに、前記プリント配線板の配線部分と対応する部分に切り欠きが形成された縦断面“コ”字状部材から成る押しボタン固定板とを備え、
前記押しボタン本体の裏面側に、前記プリント配線板を介在させた状態で、押しボタン固定板のフランジに形成された穴に、前記ボタン取付スタッドを挿通して固定するように構成したことを特徴とする押しボタンスイッチの放熱構造。
【請求項２】
請求項１に記載の押しボタンスイッチの放熱構造において、
前記プリント基板の表面側に搭載されている放熱器は、駆動電流が供給されているとき発光する発光素子と、この発光素子に供給される駆動電流の値を規定する抵抗器とを備えており、
前記プリント基板の表面側放熱パターンは、前記発光素子および前記抵抗器と電気的および熱的に結合される一方、前記プリント基板の裏面側放熱パターンは、前記発光素子および前記抵抗器と電気的に分離された状態で前記抵抗器と熱的に結合されることを特徴とする押しボタンスイッチの放熱構造。
【発明の詳細な説明】
【技術分野】
【０００１】
本発明は、エレベータの乗り場やかご内に取り付けられる押しボタンスイッチの放熱構造に関する。
【背景技術】
【０００２】
エレベータの乗り場やかご内に取り付けられる表示装置の押しボタンや表示器の光源として、近年、寿命が長く切れにくいＬＥＤなどの発光素子を使用することが多い。
【０００３】
この際、抵抗器などを用いて電流値をコントロールし、発光素子に必要十分な電流を流し、これを点灯させるようにしている。
【特許文献１】特開２００３−２９６８６２号公報
【発明の開示】
【発明が解決しようとする課題】
【０００４】
しかしながら、このような従来の表示装置では、発光素子に大きな電流を流してその輝度を高くしているので、抵抗器の消費電力が大きくなり、発熱量が大きくなってしまうことが多い。
【０００５】
特に、発光素子の順方向電圧が低く、電源電圧との電位差が大きいときには、抵抗器の両端に大きな電位差が生じて、発熱量が大きくなり、他の基板部品を劣化させ、あるいは押しボタンを形成している樹脂部品を軟化、変形させてしまう恐れがあった。
【０００６】
本発明は上記の事情に鑑み、抵抗器などから発せられる熱を効率良く外気中に逃がし、他の基板部品を劣化させ、押しボタンを形成している樹脂部品の軟化、変形を防止することができる押しボタンスイッチの放熱構造を提供することを目的としている。
【課題を解決するための手段】
【０００７】
上記の目的を達成するために本発明は、裏面側に押しボタン本体が取り付けられると共に、裏面側の所定位置に押しボタン取付スタッドが垂設された押しボタン取付板と、
前記押しボタン本体の裏面側に配置され、表面側に搭載されている放熱器から出る熱を表面側放熱パターンおよび裏面側放熱パターンに導くように構成されたプリント配線板と、
両端部分にフランジが形成されるとともに、前記プリント配線板の配線部分と対応する部分に切り欠きが形成された縦断面“コ”字状部材から成る押しボタン固定板とを備え、
前記押しボタン本体の裏面側に、前記プリント配線板を介在させた状態で、押しボタン固定板のフランジに形成された穴に、前記ボタン取付スタッドを挿通して固定するように構成したことを特徴としている。
【０００８】
また、本発明は、前記プリント基板の表面側に搭載されている放熱器は、駆動電流が供給されているとき発光する発光素子と、この発光素子に供給される駆動電流の値を規定する抵抗器とを備えており、前記プリント基板の表面側放熱パターンは、前記発光素子および前記抵抗器と電気的および熱的に結合される一方、前記プリント基板の裏面側放熱パターンは、前記発光素子および前記抵抗器と電気的に分離された状態で前記抵抗器と熱的に結合されることを特徴としている。
【発明の効果】
【０００９】
本発明によれば、発光素子などを点灯させるのに必要な抵抗器などから発せられる熱を効率良く外気中に逃がすことができ、他の基板部品の劣化や押しボタンを形成している樹脂部品の軟化、変形を防止することができる。
【発明を実施するための最良の形態】
【００１０】
図１は本発明の参考となる表示装置の一例を示す正面図である。
【００１１】
この図に示す表示装置１ａは、板状に形成されるプリント配線板２と、プリント配線板２の表面に形成される長板状の表面側放熱パターン３と、図２の裏面図に示すように、プリント配線板２の裏面に形成される、“コ”字状の裏面側放熱パターン４と、プリント配線板２を貫通し、表面側放熱パターン３と裏面側放熱パターン４とを熱的に連結する複数のスルーホール５と、プリント配線板２の表面に取り付けられ、駆動電流の供給によって発光する複数の発光素子６と、電極８以外の例えば胴体９の下面側が表面側放熱パターン３に当接するように、プリント配線板２の表面に取り付けられ、各発光素子６に供給される電流の値をコントロールする複数の抵抗器７と、プリント配線板２の表面に取り付けられ、エレベータの利用者などによって、行き先階指定用の押しボタン本体などの操作によって押圧される押しボタンスイッチ１０とを備えている。
【００１２】
そして、電源電圧が供給されているとき、押しボタンスイッチ１０の押圧操作に応じて、各抵抗器７に電源電圧を供給して駆動電流を生成させ、各発光素子６を選択的に発光させながら、各抵抗器７→表面側放熱パターン３→外気なる経路と、各抵抗器７→表面側放熱パターン３→各スルーホール５→裏面側放熱パターン４→外気なる経路とを用いて、各抵抗器７から出る熱が外気中に放出される。
【００１３】
このように、この例では、プリント配線板２の表面に形成した表面側放熱パターン３によって、各抵抗器７から出る熱が取り込ませて、外気中に放出されるとともに、複数のスルーホール５を用いて、表面側放熱パターン３→裏面側放熱パターン４なる経路で、プリント配線板２の裏面に形成した、広い放熱面を持つ裏面側放熱パターン４にも導かれて外気中に放出されるようにしているので、各発光素子６を点灯させるのに必要な各抵抗器７から発せられる熱を効率良く外気中に逃がすことができ、他の基板部品の劣化や押しボタンスイッチ１０を形成している樹脂部品の軟化、変形を防止することができる。
【００１４】
図３は本発明による押しボタンスイッチの放熱構造の実施形態を示す分解斜視図である。なお、この図において、図１、図２に対応する部分には、同じ符号が付してある。
【００１５】
この図に示す押しボタンスイッチ２０は、エレベータの乗り場などに設置された押しボタン取付板２１に取り付けられ、エレベータの利用者などによって行き先階を指定する際などに操作される押しボタン本体２２と、この押しボタン本体２２の裏面側に配置され、搭載されている放熱器から出る熱を裏面側放熱パターンに導くように構成されたプリント配線板、例えば図１、図２に示すプリント配線板２と、両端部分にフランジ２５が形成されるとともに、プリント配線板２の配線部分２３と対応する部分に切り欠き２４が形成された縦断面“コ”字状部材によって構成され、押しボタン本体２２の裏面の裏面側に、プリント配線板２を介在させた状態で、押しボタン固定板２８のフランジ２５に形成された穴２６に、しボタン取付板２１の裏面側に垂設された２本の押しボタン取付スタッド２７が挿通され、ナット（図示は省略する）で固定される、押しボタン固定板２８とを備えている。
【００１６】
そして、電源電圧が供給されているとき、押しボタンスイッチ本体２２の押圧操作に応じて、プリント配線板２上に配置された各抵抗器７に電源電圧が供給されて、駆動電流が生成され、プリント配線板２上に配置された各発光素子６が選択的に発光されつつ、各抵抗器７→表面側放熱パターン３→外気なる経路と、各抵抗器７→表面側放熱パターン３→各スルーホール５→裏面側放熱パターン４→押しボタン固定板２８→外気、押しボタン取付板２１なる経路とを用いて、各抵抗器７から出る熱が外気中、押しボタン取付板２１側に放出される。
【００１７】
このように、この実施形態では、押しボタンスイッチ本体２２の押圧操作に応じて、プリント配線板２上に配置された各抵抗器７に電源電圧が供給されて、駆動電流が生成され、プリント配線板２上に配置された各発光素子６が選択的に発光しているとき、プリント配線板２の表面に配置された各抵抗器７から出る熱がプリント配線板２の裏面に形成された裏面側放熱パターン４に導かれ、裏面側放熱パターン４→押しボタン固定板２８→外気なる経路で、裏面側放熱パターン４より広い面積を持つ押しボタン固定板２８から外気中に放出されるとともに、押しボタン固定板２８→押しボタン取付板２１なる経路で、大きな熱容量を持つ押しボタン取付板２１に伝達されるようにしているので、各発光素子６を点灯させるのに必要な各抵抗器７から発せられる熱を押しボタン固定板２８、押しボタン取付板２１などに逃がすことができ、他の基板部品の劣化や、押しボタンスイッチ１０を形成している樹脂部品の軟化、変形を防止することができる。
【００１８】
なお、上述した一例及び実施形態では、押しボタンスイッチ１０が搭載されるプリント配線板２に、表面側放熱パターン３、スルーホール５、裏面側放熱パターン４を形成して、プリント配線板２上に配置された各抵抗器７に電源電圧が供給されて、駆動電流が生成され、プリント配線板２上に配置された各発光素子６を選択的に発光しているとき、プリント配線板２の表面に配置された各抵抗器７から出る熱がプリント配線板２の裏面に形成した裏面側放熱パターン４に導かれ、裏面側放熱パターン４→押しボタン固定板２８→外気なる経路などで、外気中などに放出されるようにしているが、このような押しボタンスイッチ１０が搭載されないプリント配線板２に対し、表面側放熱パターン３、スルーホール５、裏面側放熱パターン４を形成するようにしても良い。
【００１９】
このようにすることにより、上述した一例及び実施形態と同様に、プリント配線板２上に配置された各抵抗器７に電源電圧が供給されて、プリント配線板２上に配置された各発光素子６が選択的に発光されているとき、プリント配線板２の表面に配置された各抵抗器７から出る熱がプリント配線板２の裏面に形成した裏面側放熱パターン４に導かれて外気中に放出され、裏面側放熱パターン４→押しボタン固定板２８→外気なる経路で外気中などに放出させることができる。
【図面の簡単な説明】
【００２０】
【図１】本発明の参考となる表示装置の一例を示す正面図。
【図２】図１に示す表示装置の裏面図。
【図３】本発明による押しボタンスイッチの放熱構造の実施形態を示す分解斜視図。
【符号の説明】
【００２１】
１ａ：表示装置
２：プリント配線板
３：表面側放熱パターン
４：裏面側放熱パターン
５：スルーホール
６：発光素子
８：電極
９：胴体
１０：押しボタンスイッチ
２０：押しボタンスイッチ
２１：押しボタン取付板
２２：押しボタン本体
２３：配線部分
２４：切り欠き
２５：フランジ
２６：穴
２７：押しボタン取付スタッド
２８：押しボタン固定板
【図１】
0004499460.tif 000002
【図２】
0004499460.tif 000003
【図３】
0004499460.tif 000004